(57)【要約】      （修正有）【課題】投写画像の観察者とは異なる位置にいる操作者が見る画像を正しい向きに投写することができるプロジェクターを提供する。【解決手段】プロジェクター１は、鉛直方向に交差するスクリーンＳＣに第１画像Ｇ１を投写し、画像の観察者Ｈ１がスクリーンＳＣの長辺の一方の側に位置して第１画像Ｇ１を正しい向きで観察し、操作者Ｕ１が、矩形状のスクリーンＳＣの短辺の一方の側に位置し、指示体としての入力ペン４０を用いた操作を行うと、プロジェクター１は、操作検出手段２６の検出結果に基づいて、第２画像Ｇ２を操作者Ｕ１から正しく見える向きになるように、第１画像Ｇ１とは異なる向きで第２画像Ｇ２を第１画像Ｇ１に合成可能として投写する。【選択図】図３
2016008999.tif 000002
【特許請求の範囲】
【請求項１】
画像入力端子に入力される画像信号に基づいた第１画像を生成する第１画像生成手段と、
第２画像を生成する第２画像生成手段と、
前記第１画像と前記第２画像とを合成して合成画像を生成する合成画像生成手段と、
光源から射出された光を、前記合成画像に応じて光変調装置で変調し、前記変調された光を鉛直方向に交差する投写面に投写可能な画像投写手段と、
を備え、
前記合成画像生成手段は、前記第２画像を前記第１画像の向きとは異なる向きで前記第１画像に合成可能とすることを特徴とするプロジェクター。
【請求項２】
請求項１に記載のプロジェクターであって、
当該プロジェクターに対する当該プロジェクターを操作する操作者の方向を検出する操作方向検出手段をさらに備え、
前記合成画像生成手段は、前記操作方向検出手段の検出結果に基づき、前記第２画像の向きを決定することを特徴とするプロジェクター。
【請求項３】
請求項２に記載のプロジェクターであって、
当該プロジェクターを遠隔操作するリモートコントローラーと、
前記リモートコントローラーが操作される位置を検出する操作位置検出手段と、をさらに備え、
前記操作方向検出手段は、前記操作位置検出手段の検出結果に基づき、前記操作者の方向を検出することを特徴とするプロジェクター。
【請求項４】
請求項２または３に記載のプロジェクターであって、
前記投写面上において指示体の操作を検出する操作検出手段をさらに備え、
前記操作方向検出手段は、前記操作検出手段の検出結果に基づき、前記操作者の方向を検出することを特徴とするプロジェクター。
【請求項５】
請求項２から４のいずれか一項に記載のプロジェクターであって、
前記操作者が携帯する発信装置の位置信号を受信する位置信号受信手段をさらに備え、
前記操作方向検出手段は、前記位置信号に基づき、前記操作者の方向を検出することを特徴とするプロジェクター。
【請求項６】
請求項１から５のいずれか一項に記載のプロジェクターであって、
前記第２画像は、当該プロジェクター内部で生成する画像であることを特徴とするプロジェクター。
【請求項７】
請求項１から６のいずれか一項に記載のプロジェクターであって、
前記第２画像は、ＯＳＤ（On Screen Display）画像であることを特徴とするプロジェクター。
【請求項８】
光源から射出された光を、画像に応じて光変調装置で変調し、前記変調された光を鉛直方向に交差する投写面に投写可能な画像投写手段を有するプロジェクターの制御方法であって、
画像入力端子に入力される画像信号に基づいた第１画像を生成するステップと、
第２画像を生成するステップと、
前記第１画像と前記第２画像とを合成して前記画像を生成する画像合成ステップと、を有し、
前記画像合成ステップは、前記第１画像と前記第２画像とを互いに異なる向きで合成可能とすることを特徴とするプロジェクターの制御方法。
【発明の詳細な説明】
【技術分野】
【０００１】
本発明は、プロジェクター、およびプロジェクターの制御方法に関する。
【背景技術】
【０００２】
プロジェクターを用いて机上等に設置されたスクリーン上に画像を投写し、演者（操作者）がこのプロジェクターを操作してプレゼンテーションを行うことがある。このとき、投写される画像を観察する観衆（観察者）は、スクリーンに対して正面方向から画像を見るが、演者はスクリーンの横または後方に立って説明する場合が多い。そのため、各種設定のためのメニュー画像、報知画像などが演者から正しい向きに見えないので、操作がしにくく、また正しく画像を見るためには位置を移動しなければならなかった。
特許文献１には投影面に対する操作物体の位置を検出し、ユーザーインターフェース画像の表示位置および表示方向を決定する画像投影装置が開示されている。また、特許文献２には表示方向指示部に対する入力操作に応じて表示方向を変更するプロジェクターが開示されている。
【先行技術文献】
【特許文献】
【０００３】
【特許文献１】特開２００９−６４１０９号公報
【特許文献２】特開２００７−２２５８５９号公報
【発明の概要】
【発明が解決しようとする課題】
【０００４】
特許文献１の画像投影装置、および特許文献２のプロジェクターでは投写画像の表示方向を変更することができるが、プレゼンテーションのときなどに、全ての投写画像の表示方向が変更されてしまう。これによって、観衆と演者がスクリーンに対して異なる位置にいた場合、演者が見やすい向きで操作画像を表示させた場合、観衆からは画像の向きが異なっているので、投写画像が観賞しにくいものとなってしまう。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、画像入力端子に入力される画像信号に基づいた第１画像を生成する第１画像生成手段と、第２画像を生成する第２画像生成手段と、前記第１画像と前記第２画像とを合成して合成画像を生成する合成画像生成手段と、光源から射出された光を、前記合成画像に応じて光変調装置で変調し、前記変調された光を鉛直方向に交差する投写面に投写可能な画像投写手段と、を備え、前記合成画像生成手段は、前記第２画像を前記第１画像の向きとは異なる向きで前記第１画像に合成可能とすることを特徴とする。
【０００７】
本適用例によれば、プレゼンテーションの際に、観察者が見る第１画像に対し、操作者が見るための第２画像の向きを第１画像とは異なるように合成することが可能となる。つまり、スクリーンに対して操作者が観察者とは異なる位置にいる場合、観察者が第１画像を正しい向きに見られるような状態を維持したまま、操作者が第２画像を正しい向きで見ることが可能となる。
【０００８】
［適用例２］上記適用例に記載のプロジェクターにおいて、当該プロジェクターに対する当該プロジェクターを操作する操作者の方向を検出する操作方向検出手段をさらに備え、前記合成画像生成手段は、前記操作方向検出手段の検出結果に基づき、前記第２画像の向きを決定することが好ましい。
【０００９】
本適用例によれば、プロジェクターに対する操作者の方向を検出し、検出結果に基づいて第２画像の向きが決定される。すなわち、プロジェクターに対して所定の位置に配置された投写面に対する操作者の方向に基づいて、第２画像の向きが決定される。これによって、操作者が位置を移動するたびに手動で第２画像の向きを設定し直す手間を省略することが可能となる。
【００１０】
［適用例３］上記適用例に記載のプロジェクターにおいて、当該プロジェクターを遠隔操作するリモートコントローラーと、前記リモートコントローラーが操作される位置を検出する操作位置検出手段と、をさらに備え、前記操作方向検出手段は、前記操作位置検出手段の検出結果に基づき、前記操作者の方向を検出することが好ましい。
【００１１】
本適用例によれば、操作者が操作するリモートコントローラーの操作位置を検出することにより、操作者の方向を検出し、第２画像の向きを決定することが可能となる。
【００１２】
［適用例４］上記適用例に記載のプロジェクターにおいて、前記投写面上において指示体の操作を検出する操作検出手段をさらに備え、前記操作方向検出手段は、前記操作検出手段の検出結果に基づき、前記操作者の方向を検出することが好ましい。
【００１３】
本適用例によれば、ペンなどの指示体の操作に基づき、操作者の方向を検出し、第２画像の向きを決定することが可能となる。
【００１４】
［適用例５］上記適用例に記載のプロジェクターにおいて、前記操作者が携帯する発信装置の位置信号を受信する位置信号受信手段をさらに備え、前記操作方向検出手段は、前記位置信号に基づき、前記操作者の方向を検出することが好ましい。
【００１５】
本適用例によれば、操作者が携帯する発信装置の位置信号を検出することにより、操作者の方向を検出し、第２画像の向きを決定することが可能となる。
【００１６】
［適用例６］上記適用例に記載のプロジェクターにおいて、前記第２画像は、当該プロジェクター内部で生成する画像であることが好ましい。
【００１７】
本適用例によれば、操作者が見るための第２画像をプロジェクターの内部で生成する。これにより、第２画像を第１画像とは別にプロジェクターに入力する必要がなくなる。
【００１８】
［適用例７］上記適用例に記載のプロジェクターにおいて、前記第２画像は、ＯＳＤ（On Screen Display）画像であることが好ましい。
【００１９】
本適用例によれば、メニュー設定や通知画像などのＯＳＤ画像を第２画像として生成する。これにより、プレゼンテーション中に操作者がメニュー設定を行う場合など、観察者と異なる位置にいる操作者が正しい向きでＯＳＤ画像を見ながら設定操作を行うことが可能となる。
【００２０】
［適用例８］本適用例に係るプロジェクターの制御方法は、光源から射出された光を、画像に応じて光変調装置で変調し、前記変調された光を鉛直方向に交差する投写面に投写可能な画像投写手段を有するプロジェクターの制御方法であって、画像入力端子に入力される画像信号に基づいた第１画像を生成するステップと、第２画像を生成するステップと、前記第１画像と前記第２画像とを合成して前記画像を生成する画像合成ステップと、を有し、前記画像合成ステップは、前記第１画像と前記第２画像とを互いに異なる向きで合成可能とすることを特徴とする。
【００２１】
本適用例によれば、プレゼンテーションの際に、観察者が見る第１画像に対し、操作者が見るための第２画像の向きを第１画像とは異なるように合成することが可能となる。つまり、スクリーンに対して操作者が観察者とは異なる位置にいる場合、観察者が第１画像を正しい向きに見られるような状態を維持したまま、操作者が第２画像を正しい向きで見ることが可能となる。
【図面の簡単な説明】
【００２２】
【図１】本実施形態に係るプロジェクターの外観斜視図。
【図２】本実施形態のプロジェクターの概略構成を示すブロック図。
【図３】本実施形態のプロジェクターの動作を説明するための模式図。
【図４】本実施形態のプロジェクターの動作を説明するための模式図。
【図５】投写画像の事例を示す図。
【図６】プロジェクターの動作を示すフローチャート。
【発明を実施するための形態】
【００２３】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。また、以下では、同じ構成に対しては同じ符号を付与し説明を省略する。
【００２４】
（実施形態）
図１は、本実施形態のプロジェクター１の外観斜視図である。
図２は本実施形態のプロジェクター１の概略構成を示すブロック図である。
図１、図２に示すように、プロジェクター１は、筐体２、および筐体２の内部または外面に配置される画像入力端子６、画像投写手段１０、ＯＳＤ処理手段１６、画像信号処理手段１７、画像信号入力手段１８、制御手段２０、記憶手段２１、光源制御手段２２、本体操作手段２３、操作信号受信手段２４、リモコン２５、操作検出手段２６、位置信号受信手段２７、発信装置２８、電源端子３０、電源部３１等を備えている。
【００２５】
図１に示すように、筐体２には、画像を投写するための投写窓３や、複数の開口部が設けられている。そして、これらの開口部の内側には、操作検出手段２６、操作信号受信手段２４、位置信号受信手段２７等が配置されている。後で詳細に説明するが、プロジェクター１は、操作検出手段２６、操作信号受信手段２４、位置信号受信手段２７の検出結果に基づいて、プロジェクター１に対するプロジェクター１を操作する操作者の方向を検出し、操作者が操作するための画像を見やすいように表示させることができるように構成されている。
【００２６】
画像投写手段１０は、光源１１、光変調装置としての３つの液晶ライトバルブ１２Ｒ，１２Ｇ，１２Ｂ、反射鏡１３、液晶駆動手段１４等を含んでいる。画像投写手段１０は、光源１１から射出された光を、液晶ライトバルブ１２Ｒ，１２Ｇ，１２Ｂで変調し、変調された画像を反射鏡１３で反射させて投写することによってスクリーンＳＣ等の投写面に投写画像を表示する。
【００２７】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２８】
液晶ライトバルブ１２Ｒ，１２Ｇ，１２Ｂは、一対の透明基板間に液晶が封入された液晶パネル等によって構成され、各透明基板の内面には、液晶に対して微小領域（画素）毎に駆動電圧を印加可能な透明電極（画素電極）が、矩形の領域（画素領域）内にマトリックス状に形成されている（図示せず）。
【００２９】
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、反射鏡１３によって反射され、投写窓３を通ってスクリーンＳＣに拡大投写され投写画像となる。
【００３０】
本実施形態では、光源として光源ランプ１１ａを用いて投写するプロジェクター１を例示したが、本発明は、光源としてＬＥＤ（Light emitting diode）光源やレーザー光源などを用いて投写するプロジェクターにも適用することができる。
【００３１】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３２】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
また、制御手段２０は、操作検出手段２６、操作信号受信手段２４、位置信号受信手段２７の検出結果に基づき、プロジェクター１に対する操作者の方向を検出する操作方向検出手段としても機能する。すなわち、制御手段２０は、プロジェクター１に対して所定の位置に配置されたスクリーンＳＣに対する操作者Ｕ１の方向を検出することにもなる。
【００３３】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
【００３４】
本体操作手段２３は、プロジェクター１の筐体２に備えられ、プロジェクター１に対して各種指示を行うための複数の操作キーを備えている。
【００３５】
本体操作手段２３は、電源のオン・オフを交互に切り替えるための電源キーや、複数の画像入力端子６を切り替えるための入力切替キー、各種設定を行うためのメニュー設定画像等を重畳表示させるためのメニューキー、メニュー設定画像等で設定項目の選択等に用いられるカーソルキー、選択された設定項目を確定させる決定キー、動作の取り消し等を行うためのエスケープキー等を備える。
ユーザーが本体操作手段２３の各種操作キーを操作すると、本体操作手段２３は、ユーザーの操作内容に応じた操作信号を制御手段２０に出力する。
【００３６】
リモコン２５は、本体操作手段２３と同様の操作キーを備え、プロジェクター１に対して各種指示を行う。
ユーザーがリモコン２５の各操作キーを操作すると、リモコン２５はユーザーの操作内容に応じた赤外線等の操作信号を発し、操作信号受信手段２４がこれを受信して制御手段２０に伝達する。
【００３７】
操作信号受信手段２４は、リモートコントローラー（リモコン）２５からの操作信号を受信し、受信した結果に応じた信号を制御手段２０に出力する。制御手段２０は、操作信号受信手段２４から出力された信号に基づいてプロジェクター１を制御する。また、操作信号受信手段２４は、リモコン２５からの操作信号がいずれの方向から発せられたかを検出する操作位置検出手段としても機能し、検出した結果に対応する信号を制御手段２０に出力する。例えば、操作信号受信手段２４は、互いに異なる方向からの光を受信する複数の受光素子を備え、その出力状態の違いから、少なくとも４方向のいずれかからリモコン２５の方向を検出する。制御手段２０は受け付けた信号に基づき、プロジェクター１に対する操作者の方向を検出する。
【００３８】
発信装置２８は、操作者が携帯するものであり、赤外線等により位置信号を発信し、プロジェクター１の位置信号受信手段２７がこれを受信する。
位置信号受信手段２７は発信装置２８の位置信号がいずれの方向から発せられたかを検出し、制御手段２０に通知する。制御手段２０は受け付けた位置信号に基づき、操作方向を検出する。
【００３９】
操作検出手段２６は、図示しない撮像部などから構成され、スクリーンＳＣを撮像する。そして、操作検出手段２６は、赤外発光式の入力ペン４０の操作を検出し、その操作の情報を制御手段２０に通知する。入力ペン４０は、指示体に相当する。制御手段２０は操作検出手段２６が検出した操作の情報に基づき、描画操作、およびプロジェクター１に対する操作者の方向の検出を行う。
【００４０】
光源制御手段２２は、制御手段２０の指示に基づいて、光源１１に対する電力の供給と停止とを制御し、光源１１の点灯、および消灯を切り替える。
【００４１】
画像信号入力手段１８は、複数の画像入力端子６より、ビデオ再生装置やパーソナルコンピューター等、外部の画像出力装置から、図示しないケーブル、又は通信機器などを介して画像情報が入力される。入力された画像情報は、制御手段２０の指示に基づき、画像信号処理手段１７に出力される。なお、画像信号入力手段１８は、無線通信や光通信などの受信部を備え、外部機器から無線によって画像信号を入力する構成にしてもよい。
【００４２】
画像信号処理手段１７は、第１画像生成手段に相当し、制御手段２０の指示に基づき、画像信号入力手段１８から入力される画像情報を、液晶ライトバルブ１２Ｒ，１２Ｇ，１２Ｂの各画素の階調を表す画像情報に変換し、第１画像Ｇ１を生成する。ここで、変換された画像情報は、赤（Ｒ）、緑（Ｇ）、青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。生成された第１画像Ｇ１はＯＳＤ処理手段１６に出力される。
【００４３】
ＯＳＤ処理手段１６は、第２画像生成手段、および合成画像生成手段に相当する。ＯＳＤ処理手段１６は、制御手段２０の指示に基づいて、メニュー画像やメッセージ画像等のＯＳＤ（On Screen Display、オンスクリーンディスプレイ）画像を第２画像Ｇ２として生成し、次に第１画像Ｇ１と合成して合成画像を生成するための処理を行う。
【００４４】
ＯＳＤ処理手段１６は、図示しないＯＳＤメモリーを備えており、ＯＳＤ画像を形成するための図形やフォント等を表すＯＳＤ画像情報を記憶している。
制御手段２０が、ＯＳＤ画像の重畳表示を指示すると、ＯＳＤ処理手段１６は、必要なＯＳＤ画像情報をＯＳＤメモリーから読み出し、所定の位置にＯＳＤ画像が重畳されるように第２画像Ｇ２を生成する。
次に、制御手段２０の指示に基づき、画像信号処理手段１７から入力される第１画像Ｇ１に、生成した第２画像Ｇ２を合成する。後で詳細に説明するが、ＯＳＤ処理手段１６は、操作者の位置に対応させて、第２画像Ｇ２を第１画像Ｇ１に合成する。生成された合成画像は、液晶駆動手段１４に出力される。
なお、制御手段２０からＯＳＤ画像を重畳する旨の指示がない場合、つまり第２画像Ｇ２を投写しない場合には、ＯＳＤ処理手段１６は、画像信号処理手段１７から入力される第１画像Ｇ１を、そのまま液晶駆動手段１４に出力する。
【００４５】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４６】
ここで、プロジェクター１の動作について説明する。
図３は、本実施形態のプロジェクター１の動作を説明するための模式図であり、操作者が指示体を用いてプレゼンテーションを行った場合の一例を示す図である。
図３に示すように、プロジェクター１は、鉛直方向に交差する投写面、例えば机上や床等に設置された矩形状のスクリーンＳＣに第１画像Ｇ１を投写する。画像の観察者Ｈ１は、スクリーンＳＣの長辺の一方の側に位置し、第１画像Ｇ１を正しい向きで観察する。
操作者Ｕ１は、矩形状のスクリーンＳＣの短辺の一方の側に位置し、指示体としての入力ペン４０を用いた操作を行う。つまり、操作者Ｕ１は、観察者Ｈ１とは異なる向きでプロジェクター１を操作する。
そして、プロジェクター１は、操作検出手段２６の検出結果に基づいて、第２画像Ｇ２を操作者Ｕ１から正しく見える向きになるように、第１画像Ｇ１に合成して投写する。
また、操作者Ｕ１がスクリーンＳＣ上で入力ペン４０を操作すると、操作検出手段２６が、スクリーンＳＣ上を撮像して入力ペン４０の操作を検出し、プロジェクター１は、操作検出手段２６の検出結果に基づいた描画等を行う。
また、操作検出手段２６は、入力ペン４０の操作に基づき、操作される方向の検出を行う。例えば、図３において、操作者Ｕ１がスクリーンＳＣ上で第１画像Ｇ１の投写領域の外側の領域Ｐ１の領域からスクリーンＳＣの中央へ向かう描画操作を行うと、操作検出手段２６は操作者Ｕ１の方向が領域Ｐ１側であることを検出し、第２画像Ｇ２が領域Ｐ１側から正しく見える向きに、第１画像Ｇ１と合成させ、投写させる。
【００４７】
次に、操作者Ｕ１が行うプレゼンテーションの他の形態を例示して、プロジェクター１の動作をさらに説明する。
図４は、本実施形態のプロジェクター１の動作を説明するための模式図であり、図４（ａ）は、操作者Ｕ１がリモコン２５を用いてプレゼンテーションを行った場合の一例を示す図、図４（ｂ）は、操作者Ｕ１が発信装置２８を携帯用いてプレゼンテーションを行った場合の一例を示す図である。なお、図３を用いて説明したと同様に、プロジェクター１は、鉛直方向に交差する投写面に画像を投写し、観察者Ｈ１は、スクリーンＳＣの長辺の一方の側に位置し、操作者Ｕ１は、矩形状のスクリーンＳＣの短辺の一方の側に位置している場合を例に説明する。
【００４８】
図４（ａ）に示すように、操作者Ｕ１が領域Ｐ１の方向からリモコン２５を操作すると、プロジェクター１の操作信号受信手段２４がその操作信号を受信する。このとき、操作信号受信手段２４は、操作位置検出手段としても動作し、操作者Ｕ１がスクリーンＳＣに対してどの方向からリモコン２５を操作したかを検出する。図４（ａ）に示す例では操作者Ｕ１の方向が領域Ｐ１側であることを検出する。
【００４９】
また、図４（ｂ）に示すように、操作者Ｕ１が発信装置２８を携帯していると、プロジェクター１の位置信号受信手段２７が発信装置２８の位置信号を受信し、スクリーンＳＣに対して操作者Ｕ１がどの方向にいるかを検出する。図４（ｂ）の例では操作者Ｕ１の方向が領域Ｐ１側であることを検出する。
【００５０】
次に、スクリーンＳＣに投写される投写画像について説明する。
図５は投写画像の事例を示す図であり、投写画像、操作者Ｕ１および観察者Ｈ１を上方から見下ろした平面図である。
具体的に、投写された第１画像Ｇ１を正しい向きで観察する観察者Ｈ１の方向をスクリーンＳＣ前方とすると、図５（ａ）は、操作者Ｕ１がスクリーンＳＣの後方にいる場合を示す図、図５（ｂ）は、操作者Ｕ１がスクリーンＳＣの右側にいる場合を示す図である。
図５（ａ）に示すように、操作者Ｕ１がスクリーンＳＣの後方にいる場合、第２画像Ｇ２はスクリーン後方側（図では上側）から正しく見える向きに投写される。
図５（ｂ）に示すように、操作者Ｕ１がスクリーンＳＣの右側にいる場合、第２画像Ｇ２はスクリーンＳＣの右側から正しく見える向きに投写される。
第２画像Ｇ２の向きは、前述したように、操作検出手段２６、操作信号受信手段２４、位置信号受信手段２７の検出結果に基づき、操作方向検出手段により決定される。
なお、画像の「向き」とは画像が正しく見える方向を言う。例えば、図５（ａ）に示す状態において、第２画像Ｇ２は、スクリーン後方を向き、図５（ｂ）に示す状態においては、第２画像Ｇ２は、右方を向くことになる。
また、図５において第２画像Ｇ２を一つの矩形領域で示したが、複数の領域から第２画像Ｇ２を構成してもよい。
なお、言うまでもなく、操作者Ｕ１が観察者Ｈ１と同じ向きでプロジェクター１を操作する位置にいるような場合には、プロジェクター１は、第２画像Ｇ２を第１画像Ｇ１の向きと同じ向きで第１画像Ｇ１に合成して投写する。
【００５１】
次に、本実施形態のプロジェクター１の動作を図６のフローチャートを用いて説明する。
図６に示すように、プロジェクター１が本体操作手段２３またはリモコン２５の電源キー操作などにより電源オンすると（ステップＳ１０１）、制御手段２０は光源制御手段２２により、光源１１を点灯させ（ステップＳ１０２）、ステップＳ１０３に遷移する。
【００５２】
ステップＳ１０３において制御手段２０は、画像信号処理手段１７に指示し、画像信号入力手段１８から入力される画像信号に基づき、第１画像Ｇ１を生成させ、ステップＳ１０４に遷移する。
【００５３】
ステップＳ１０４において制御手段２０は、第１画像Ｇ１に第２画像Ｇ２を合成して投写するか否かを調べる。第２画像Ｇ２を合成する場合（ステップＳ１０４：Ｙ）には、ステップＳ１０５に遷移する。第２画像Ｇ２を合成しない場合（ステップＳ１０４：Ｎ）には、ステップＳ１１０に遷移する。
【００５４】
ステップＳ１０５において制御手段２０は、操作者Ｕ１の方向を検出する（図３、図４参照）。次にステップＳ１０６に遷移する。
【００５５】
ステップＳ１０６において制御手段２０は、ＯＳＤ処理手段１６に指示し、第２画像Ｇ２としてのＯＳＤ画像を生成し、ステップＳ１０５において検出した向きで第１画像Ｇ１と合成する。次にステップＳ１１０に遷移する。ステップＳ１０６が画像合成ステップに相当する。
【００５６】
ステップＳ１１０において制御手段２０は、ステップＳ１０６において合成した合成画像または第１画像Ｇ１を画像投写手段１０により、投写させる。以後、同様に第１画像Ｇ１または第１画像Ｇ１と第２画像Ｇ２との合成画像を投写する。
【００５７】
また、制御手段２０が画像投写中にメニュー設定操作などにより、第２画像Ｇ２の合成処理を受け付けた場合（ステップＳ１０８）、ステップＳ１０５からの動作を実行する。
【００５８】
上述した実施形態によれば、以下の効果を得られる。
本実施形態のプロジェクター１によれば、プレゼンテーションの際に、観察者Ｈ１が見る第１画像Ｇ１に対し、操作者Ｕ１の位置に対応させて、第２画像Ｇ２を第１画像Ｇ１に合成して投写する。つまり、観察者Ｈ１が第１画像Ｇ１を正しい向きで見られるような状態を維持したまま、スクリーンＳＣに対して観察者Ｈ１とは異なる方向にいる操作者Ｕ１が第２画像Ｇ２を正しい向きで見ることが可能となる。
【００５９】
また、スクリーンＳＣに対する操作者Ｕ１の方向を検出し、第２画像Ｇ２の向きを決定するので、操作者Ｕ１が位置を移動するたびに手動で第２画像Ｇ２の向きを設定し直す手間を省略することが可能となる。
【００６０】
また、操作者Ｕ１が操作するリモコン２５の操作位置を検出することにより、操作者Ｕ１の方向を検出し、第２画像Ｇ２の向きを決定することが可能となる。
【００６１】
また、入力ペン４０などの指示体の操作に基づき、操作者Ｕ１の方向を検出し、第２画像Ｇ２の向きを決定することが可能となる。
【００６２】
また、操作者Ｕ１が携帯する発信装置２８の位置信号を検出することにより、操作者Ｕ１の方向を検出し、第２画像Ｇ２の向きを決定することが可能となる。
【００６３】
また、操作者Ｕ１が見るための第２画像Ｇ２をプロジェクター１の内部で生成する。これにより、第２画像Ｇ２を第１画像Ｇ１とは別にプロジェクター１に入力する必要がなくなる。
【００６４】
また、メニュー設定や通知画像などのＯＳＤ画像を第２画像Ｇ２として生成する。これにより、プレゼンテーション中に操作者Ｕ１がメニュー設定を行う場合など、観察者Ｈ１と異なる位置にいる操作者Ｕ１が正しい向きでＯＳＤ画像を見ながら設定操作を行うことが可能となる。
【００６５】
また、上記実施形態は、以下のように変更してもよい。
（変形例１）
上述した実施形態では、操作方向検出手段（制御手段２０）により操作者Ｕ１の方向を検出しているが、メニュー設定などにより予め操作者Ｕ１の方向を設定するようにしてもよい。これにより、操作方向検出のための各検出手段を省略することができる。
【００６６】
（変形例２）
上述した実施形態では第２画像Ｇ２をメニューなどのＯＳＤ画像として説明しているが、第２画像Ｇ２は、光源１１の寿命警告などの各種アラート画像、プレゼンの残り時間、メモ画像などでもよい。
【００６７】
（変形例３）
上述した実施形態において、画像信号処理手段１７が、第１画像Ｇ１を生成したのとは異なる画像入力端子６から入力される画像情報により第２画像Ｇ２を生成し、第１画像Ｇ１と合成してもよい。これにより、第２画像Ｇ２を外部から入力した画像とすることができる。
なお、このときの画像信号処理手段１７は、第２画像生成手段、および合成画像生成手段に相当する。
【符号の説明】
【００６８】
１…プロジェクター、３…投写窓、６…画像入力端子、１０…画像投写手段、１１…光源、１２Ｒ，１２Ｇ，１２Ｂ…液晶ライトバルブ、１３…反射鏡、１４…液晶駆動手段、１６…ＯＳＤ処理手段、１７…画像信号処理手段、１８…画像信号入力手段、２０…制御手段、２１…記憶手段、２２…光源制御手段、２３…本体操作手段、２４…操作信号受信手段、２５…リモートコントローラー、２６…操作検出手段、２７…位置信号受信手段、２８…発信装置、３０…電源端子、３１…電源部、４０…入力ペン。
【図１】
2016008999.tif 000003
【図２】
2016008999.tif 000004
【図３】
2016008999.tif 000005
【図４】
2016008999.tif 000006
【図５】
2016008999.tif 000007
【図６】
2016008999.tif 000008